(57)【特許請求の範囲】
【請求項１】
ベルトの両端に配置され、該ベルトの一端側に接続される雌型バックル体と、前記ベルトの他端側に接続される雄型バックル体とからなり、
上記雌型バックル体は、上記ベルトの長手方向に沿った凹部を有し、
上記雄型バックル体は、上記ベルトの長手方向に沿った先端側に、上記雌型バックル体の凹部内に進入可能な凸部を有すると共に、
上記凸部は、該凸部の先端面に開口する空気の吹き込み口と、該吹き込み口に連通し且つ上記ベルトの長手方向に沿った通気室と、該通気室に連通し且つ当該凸部の表面に開口する空気の排出口とから構成されるホイッスルを内設している、
ことを特徴とするホイッスル内蔵バックル。
【請求項２】
前記雌型バックル体は、全体が扁平な箱形形状を呈する雌型本体と、該雌型本体の先端面に開口する扁平な前記凹部とを備えており、
前記雄型バックル体は、上記凹部内に進入できる扁平な凸部と、該凸部に内設された前記ホイッスルとを備えている、
ことを特徴とする請求項１に記載のホイッスル内蔵バックル。
【請求項３】
前記雄型バックル体における前記凸部の両側面には、前記ベルトの長手方向に沿っており且つ内外方向に沿って弾性変形可能な左右一対の係止片が対称に配置されており、
前記雌型バックル体の雌型本体における両側面には、左右一対の案内溝と、該案内溝ごとの先端側に形成され且つ該案内溝を通過した上記左右一対の係止片の後退を阻止する左右一対の段部と、が配置されている、
ことを特徴とする請求項１または２に記載のホイッスル内蔵バックル。
【請求項４】
前記雌型バックル体の雌型本体における前記左右一対の案内溝ごとの外側には、該案内溝を挿通した前記雄型バックル体における左右一対の係止片を外側から内側に向けて押さえる左右一対の押さえ枠が配置されている、
ことを特徴とする請求項３に記載のホイッスル内蔵バックル。
【発明の詳細な説明】
【技術分野】
【０００１】
本発明は、ヘルメットの顎ベルト、ズボンやスカートなどの腰ベルト、上着の肩掛けベルト、あるいは首掛け用ストラップなどの連結部分に用いられ、非常時にはホイッスル（笛）として活用できるホイッスル内蔵バックルに関する。
【背景技術】
【０００２】
工事現場などの作業時や登山などの野外活動の際に、事故などの緊急な連絡や救助を迅速に求めるため、例えば、ヘルメット用のベルトのバックルを構成する雄型バックル本体または雌型バックル本体の何れか一方に、ホイッスルを、一体的に、スライド可能に、あるいは格納可能にして併設したホイッスル付きバックルの発明やバックルの意匠が提案されている（例えば、特許文献１〜３参照）。
【０００３】
しかし、前記のように、ホイッスル付きバックルなどのように、雄型バックル本体または雌型バックル本体の何れか一方に、ホイッスルを、一体的に、スライド可能に、あるいは格納可能にして併設した形態の場合、ホイッスルが外部に常に露出している。そのため、笛吹きするための空気の吹き込み口や排出口などに塵埃などが付着して、所要の音を出せなくなったり、甚だしくは、ホイッスルとして機能しなくなるおそれがあった。しかも、ホイッスルを構成する上記吹き込み口や排出口の付近が上記不衛生になり易いと共に、バックル全体のサイズを大型化せざるを得ないので、ヘルメットの顎ベルト、肩掛けベルト、あるいは、首掛け用ストラップなどの接続部分には、適用し難い、という問題点もあった。
【先行技術文献】
【特許文献】
【０００４】
【特許文献１】米国特許第６６６８４２８号公報（第１〜７頁、図１〜１１）
【特許文献２】特許第４９０４３３３号公報（第１〜１４頁、図２〜２３）
【特許文献３】意匠登録第１４４２５１０号公報（第１〜７頁）
【発明の概要】
【発明が解決しようとする課題】
【０００５】
本発明は、背景技術で説明した各問題点を解決し、ホイッスルに塵埃などが付着せず、長期間にわたり安定して所要の音を発信でき、且つ衛生的に保てると共に、バックル全体も小型化し得るホイッスル内蔵バックルを確実に提供する、ことを課題とする。
【課題を解決するための手段および発明の効果】
【０００６】
本発明は、前記課題を解決するため、ホイッスルをバックルを構成する雄型バックル本体に内設する、ことに着想して成されたものである。
即ち、本発明のホイッスル内蔵バックル（請求項１）は、ベルトの両端に配置され、該ベルトの一端側に接続される雌型バックル体と、前記ベルトの他端側に接続される雄型バックル体とからなり、該雌型バックル体は、上記ベルトの長手方向に沿った凹部を有し、上記雄型バックル体は、上記ベルトの長手方向に沿った先端側に、上記雌型バックル体の凹部内に進入可能な凸部を有すると共に、該凸部は、該凸部の先端面に開口する空気の吹き込み口と、該吹き込み口に連通し且つ上記ベルトの長手方向に沿った通気室と、該通気室に連通し且つ当該凸部の表面に開口する空気の排出口とから構成されるホイッスルを内設している、ことを特徴とする。
【０００７】
これによれば、前記凸部の先端面に開口する空気の吹き込み口、該吹き込み口に連通し且つベルトの長手方向に沿った通気室、および該通気室に連通し且つ上記凸部の表面に開口する空気の排出口から構成されるホイッスルが、前記雄型バックル体の凸部に内設されていると共に、該凸部は、雌型および雄型バックル体の連結時において、前記雌型バックル体の凹部内に進入可能とされている。そのため、前記ホイッスル内蔵バックルによれば、以下のような効果（１）〜（４）を奏することが可能である。
（１）通常の連結時においては、前記ホイッスルを内設する雄型バックル体の凸部は、雌型バックル体の凹部内に進入しており、該ホイッスルを構成する通気室内や排出口などに塵埃などが付着しにくいため、非常時において、常に所要の音（高低、強弱、音色（非常用信号））を確実に発信でき、且つ長期間にわたり安定して発信することができる。
（２）上記（１）に関連して、ホイッスルを衛生的に常に保つことができる。
（３）前記ホイッスルを内設する雄型バックル体の凸部は、雌型バックル体の凹部内に進入する構造としたので、該ホイッスルを内設する本バックル全体を小型で且つコンパクトに構成することができる。
（４）上記（３）に関連して、通常の連結時において、前記ホイッスルを誤って発音させたり、使用者の指先や手先などを誤って傷付けることがなく、信頼性および安全性を長期間にわたり発揮することが可能となる。
【０００８】
尚、前記ホイッスルは、例えば、工事現場において、不測のアクシデントや事故が発生した場合や、ハイキングなどのアウトドア行事や、登山の登攀時などにおける屋外での活動時などにおいて、不測のアクシデントや事故が発生した場合に、前記雌型バックル体の凹部内から雄型バックル体の凸部を抜き出し、周囲の作業者や同行者などに対して、非常事態に陥ったことを発信するものである。
また、前記雌型バックル体や雄型バックル体は、例えば、合成樹脂を射出成形した成形体、あるいは、アルミニウム合金、マグネシウム合金、またはチタン合金などの比較的軽量な金属を精密鋳造した鋳造部品などによって制作される。
更に、前記ベルトには、ヘルメットの両側に接続され、且つ作業者の顎下部で該ベルトの両端を前記バックルによって接続するもの、ズボンやスカートなどの腰回りに巻き付け、且つ上記バックルにより締めるもの、上着の両肩に個別に吊り下げてズボンなどの上裾に接続するもの、あるいは、リュクサックなどの背中側に一本または一対のベルトをバックルを含めて取り付けたものなどが含まれる。
【０００９】
また、本発明には、前記雌型バックル体は、全体が扁平な箱形形状を呈する雌型本体と、該雌型本体の先端面に開口する扁平な前記凹部とを備えており、前記雄型バックル体は、上記凹部内に進入できる扁平な凸部と、該凸部に内設された前記ホイッスルとを備えている、ホイッスル内蔵バックル（請求項２）も含まれる。
これによれば、雌型バックル体は、全体が扁平な箱形形状を呈する雌型本体と、該雌型本体の先端面に開口する扁平な凹部とを備えており、且つ、雄型バックル体は、上記凹部内に進入できる扁平な凸部と、該凸部にホイッスルを内設しているので、以下のような効果（５），（６）を奏することができる。
（５）前記雌型バックル体とホイッスルを内設する雄型バックル体とからなる本バックルを、通常のバックルと同様に扁平で且つ小型のサイズに構成できる。
（６）事故発生時などの非常時において、雌型バックル体の凹部から雄型バックル体の扁平な凸部を抜き出すことで、通常のホイッスルと同様に発音操作を容易で迅速に行える。
尚、前記扁平な凹部や扁平な凸部は、断面の外形が細長い長方形状、長円形状、あるいは楕円形状などを呈する。
【００１０】
更に、本発明には、前記雄型バックル体における前記凸部の両側面には、前記ベルトの長手方向に沿っており且つ内外方向に沿って弾性変形可能な左右一対の係止片が対称に配置されており、前記雌型バックル体の雌型本体における両側面には、左右一対の案内溝と、該案内溝ごとの先端側に形成され且つ該案内溝を通過した上記左右一対の係止片の後退を阻止する左右一対の段部と、が配置されている、ホイッスル内蔵バックル（請求項３）も含まれる。
これによれば、前記雄型バックル体の凸部を、雌型バックル体の凹部に進入させた際に、上記凸部の両側面に配置した左右一対の係止片が内側向きに弾性変形しつつ、前記雌型本体における両側面に配置された左右一対の案内溝を個別に通過する。更に、左右一対の係止片は、左右一対の案内溝を通過した後、外側向きに弾性変形するので、雌型バックル体の雌型本体における両側面に配置された左右一対の段部に個別に各係止片の係止部が当接する。その結果、雄型バックル体の凸部を、雌型バックル体の凹部に進入させた状態で、両者を離隔不能な連結状態にすることができるので、正確なバックル機能を奏することができる。
【００１１】
加えて、本発明には、前記雌型バックル体の雌型本体における前記左右一対の案内溝ごとの外側には、該案内溝を挿通した前記雄型バックル体における左右一対の係止片を外側から内側に向けて押さえる左右一対の押さえ枠が配置されている、ホイッスル内蔵バックル（請求項４）も含まれる。
これによれば、前記雌型バックル体の雌型本体における左右一対の案内溝ごとの外側には、該案内溝を挿通した前記雄型バックル体における左右一対の係止片を外側から内側に向けて押さえる左右一対の押さえ枠が配置されている。そのため、上記左右一対の係止片が外側に露出せず且つ不用意に外部に突出しないので、使用者の指先などに引っ掛かけず、不測の傷や怪我を予防することができる。しかも、前記雌型バックル体と雄型バックル体との連結状態を解除するには、上記一対の押さえ枠を内向きに押すと、雄型バックル体における一対の係止片が内側に移動して前記段部から解放されので、上記雄型および雌型バックル体をベルトの長手方向に沿って容易且つ迅速に引き離すことができる。
【図面の簡単な説明】
【００１２】
【図１】本発明による一形態のホイッスル内蔵バックルを示す斜視図。
【図２】（Ａ）は上記バックルを構成する雌型バックル体を示す正面図、（Ｂ）は上記バックルを構成する雄型バックル体を示す正面図。
【図３】（Ａ）は図２（Ａ）中のＸ−Ｘ線の矢視に沿った断面図、（Ｂ）は図２（Ｂ）中のＹ−Ｙ線の矢視に沿った断面図。
【図４】（Ａ）は上記雌型および雄型バックルを連結する直前の状態を示す正面図、（Ｂ）は（Ａ）中のＸ−Ｘ線の矢視に沿った断面図。
【図５】（Ａ）は上記雌型および雄型バックル体を連結した直後の状態を示す正面図、（Ｂ）は（Ａ）中のＹ−Ｙ線の矢視に沿った断面図、（Ｃ）は（Ｂ）中のＺ−Ｚ線の矢視に沿った断面図。
【図６】前記バックルの一使用形態を示す概略図。
【図７】前記バックルの異なる使用形態を示す概略図。
【図８】（Ａ），（Ｂ）は前記バックルの更に異なる使用形態を示す概略図。
【発明を実施するための形態】
【００１３】
以下において、本発明を実施するための形態について説明する。
図１は、本発明による一形態のホイッスル内蔵バックル１を構成する雌型バックル体２および雄型バックル体２０を示す斜視図、図２（Ａ），（Ｂ）は、雌型および雄型バックル体２，２０を示す正面図である。尚、これらの図中に示す矢印Ｂは、後述するベルトＢの長手方向を示し、図３についても同様である。また、以下において先端面や先端側とは、上記バックル体２，２０の接続側を指している。
上記ホイッスル内蔵バックル１は、図１，図２（Ａ），（Ｂ）に示すように、雌型バックル体２と雄型バックル体２０とによって構成されている。
【００１４】
前記雌型バックル体２は、全体が扁平な箱形形状を呈する雌型本体３と、該雌型本体３の先端面に開口し且つベルトの長手方向Ｂに沿った扁平な凹部４と、を備えている。該凹部４を内設する雌型本体３は、図３（Ａ）にも示すように、その両側面３ａには、前記長手方向Ｂに沿った左右一対の案内溝７を有している。該案内溝７は、凹部４の先端側の両側を囲む断面が半円形状で左右一対の外壁５側で開口している。尚、上記側面３ａは、図３（Ａ）に示すような垂直な壁面に限らず、雌型本体３の天井面と底面１６との間の空間であっても良い。かかる形態の場合、凹部４と後述する一対の細溝８とは、幅方向において連通している。
上記外壁５ごとの先端側と反対の基端側には、左右一対の段部６が位置している。また、上記凹部４の開口部を囲む雌型本体３には、その表面（上面）と裏面とに平面視でく字形状の凹辺１４，１５が形成されている。
【００１５】
更に、前記雌型本体３の先端側と反対の基端側には、左右一対の腕部１１と、これらの端部間に架設されたベルト軸１２と、これらに囲まれたベルト挿通用の通し溝１３とが配設されている。尚、雌型本体３の底面１６は、平坦面であり、該雌型本体３の通し溝１３側には、垂直壁１８が位置している。
加えて、前記一対の腕部１１から各側面３ａおよび前記長手方向Ｂにぼ沿って、左右一対の押さえ枠９が対称に延びており、該押さえ枠９と各側面３ａとの間には、平面視で細長い細溝８が位置している。各押さえ枠９の先端側の内面には、ほぼ円球形状または楕円球形状の突起１０が設けられ、該突起１０と前記段部６との間には、上記細溝８の開口部が外向きに開口している。
以上のような各部分から構成される雌型バックル体２は、例えば、ポリアセタール（ＰＯＭ）、ポリイミド、ポリエチレン、ポリプロピレンなどの合成樹脂を射出成形することで得られる。
【００１６】
一方、前記雄型バックル体２０は、図１，図２（Ｂ）に示すように、前記凹部４に進入可能な全体がほぼ直方体状で且つ扁平な凸部２１と、該凸部２１の先端側と反対の基端側に連なった平面視が矩形（長方形または正方形）状の角枠部３０と、から構成されている。上記凸部２１は、その先端面に開口する空気の吹き込み口２４、該空気の吹き込み口２４に連通し且つ前記ベルトの長手方向Ｂに沿った通気室２２、および該通気室２２と連通し且つ該凸部２１の表面に開口する平面視が矩形の排出口２５からなるホイッスルｗを内設している。上記通気室２２は、断面が横に細長い長方形状で、且つ上記排出口２５よりも奥側で垂直な壁面に閉塞されており、該排出口２５のうち、吹き込み口２４と反対側の辺は、外側が拡がるように傾斜している。
尚、図３（Ｂ）に示すように、上記凸部２１の吹き込み口２４側の表面は、若干先細形状となるように緩く傾斜している。
【００１７】
また、前記凸部２１の両側面２３には、その先端側から反対の基端側に向かって前記長手方向Ｂにほぼ沿った左右一対の細長い係止片２６が対称に突設されている。該係止片２６は、内外方向に沿って弾性変形が可能で、先端ごとに平面視が三角形状の係止部２８と、その一辺で且つ前記段部６に当接する係止辺２８とを備えると共に、各側面２３との間には、細長い溝２９が個別に位置している。
更に、前記角枠部３０は、図３（Ｂ）にも示すように、平面視が矩形状のベルト用の通し孔３１と、その凸部２１側に位置し且つ前記凹み辺１４に進入可能なく字形状の凸辺３２と、上記通し孔３１の左右の枠部を前記長手方向Ｂに沿って貫通した左右一対の長孔３４と、該一対の長孔３４の間に配置され且つ上記長手方向Ｂに沿って移動可能なベルト軸３３と、を備えている。該ベルト軸３３の周面には、図１に示すように、その軸方向に沿った複数の細かな凸条が平行に刻設されている。
【００１８】
前記一対の長孔３４は、前記ベルト軸３３を上記長手方向Ｂに沿って移動させることで、ベルトの締め付け具合を調整可能とするものである。尚、一方の長孔３４の端部には、上記ベルト軸３３を取り替え用の縦溝３５が連通している。更に、上記角枠部３０のうち、凸辺３２を挟んだ左右の垂直面３６は、前記雌型バックル体２との接続時において、その外側壁５と隣接可能となる。
以上のような雄型バックル体２０は、凸部２１の吹き込み口２４付近を唇に挟み、該吹き込み口２４から通気室２２内に空気を吹き込み、かかる空気が排出口２５から排出される際に、所要の音（高低、強弱、音色）を発生させるホイッスルｗを内設している。
尚、前記のような各部分から構成される雄型バックル体２０も、前記同様の合成樹脂を射出成形することで得られる。
【００１９】
次に、前記のような雌型バックル体２および雄型バックル体２０からなる本ホイッスル内蔵バックル１の連結方法を、図４，図５によって説明する。
予め、図４（Ａ），（Ｂ）に示すように、雌型バックル体２のベルト軸１２にベルトＢの一端ｂ１を巻き付け、且つ雄型バックル体２０のベルト軸３３にベルトＢの他端ｂ２を巻き付けて、両者を該ベルトＢの両端に接続しておく。
次いで、図４（Ａ），（Ｂ）中の白抜きの矢印で示すように、雌型バックル体２の凹部４内に向かって、雄型バックル体２０の凸部２１をその吹き込み口２４が開口する先端面側からベルトＢの長手方向に沿って進入させる。
【００２０】
前記雄型バックル体２０の凸部２１の先端面が雌型バックル体２の凹部４内に進入すると、左右一対の係止片２６の基端側は、雌型バックル体２の外側壁５ごとの内側の凹部４を通過した後、左右一対の案内溝７に個別に入り込む。かかる状態で、引き続き、雄型バックル体２０の凸部２１を雌型バックル体２の凹部４内に更に進入させると、上記一対の係止片２６の先端側に位置する各係止部２７側が内側に弾性変形しつつ、雌型バックル体２の外側壁５ごとの内側の凹部４を過した後、外向きに弾性変形しようとする。
その結果、図５（Ａ）に示すように、雄型バックル体２０における左右一対の係止片２６の先端側に位置する各係止部２７は、雌型バックル体２における左右一対の押さえ枠９の各突起１０に接近する。同時に、各係止部２７の係止辺２８は、雌型バックル体２の各段部６に当接する。この際、前記凸辺３２は、前記凹辺１４内に進入すると共に、左右の垂直面３６は、雌型バックル体２の外側壁５の先端面に隣接した位置に移行する。
【００２１】
以上によって、雄型バックル体２０の凸部２は、雌型バックル体２の凹部４内に抜け出し不能にして進入し、連結状態のホイッスル内蔵バックル１とされる。
図５（Ｂ）は、上記連結状態にある雌型バックル体２と雄型バックル体２０とのベルトＢの長手方向に沿った断面図であり、図５（Ｃ）は、該連結状態における幅方向（図５（Ｂ）中のＺ−Ｚ線の矢視）における雌型バックル体２と雄型バックル体２０との断面（端面）図である。この連結状態では、ホイッスルｗを構成する前記通気室２２、吹き込み口２４、および排出口２５は、雌型バックル体２の雌型本体３に覆われ、外部には露出しない。尚、図５（Ｃ）中で示す破線は、前記通気室２２を左右に仕切る補強用および高さ確保用の隔壁２２ａを示し、この隔壁２２ａは、吹き込み口２４から排出口２５の直前の位置までに形成しても良い。
【００２２】
一方、前記連結状態を解除するには、一方の手で雌型バックル体２における一対の押さえ片９を内側に向けて押し、雌型バックル体２０における一対の係止枠２６を内向きに弾性変形させ、これらの係止辺２８を雌型バックル体２の各段部６から外す。この際、各押さえ片９の突起１０は、係止部２７における外側の長い斜辺を内向きに押すため、これに押されて内側に押された一対の係止枠２６を含む雄型バックル体２０を凹部４の先端側に押し出そうとする。
かかる状態で、他方の手で雄型バックル体２０を雌型バックル体２から離すようにベルトＢの長手方向に沿って軽く引っ張る。その結果、前記図４（Ａ），（Ｂ）の互いに離れた状態に容易且つ迅速に復帰することができる。
【００２３】
図６は、前記ホイッスル内蔵バックル１を、例えば、建設現場や工事現場などの作業者Ｗが頭に被ったヘルメットＨのベルトＢの連結部に用いた使用状態を示す。上記作業者Ｗは、ヘルメットＨを頭に被る際に、予め、ベルトＢに両端に個別に接続され且つ互いに離れていた雌型バックル体２と、雄型バックル体２０とを前述した操作で自分の顎の下で連結することにより、該ヘルメットＨを頭部に着用して各種の作業を安全に行える。一方、予期しない事故などのアクシデントが発生した際には、前述した操作で雌型バックル体２から雄型バックル体２０の凸部２１を抜き出し、且つそのホイッスルｗにより非常事態の発生を周囲に対して、例えば、ピィーという音を迅速に発信することができる。しかも、上記ホイッスルｗは、通常の連結状態では雌型バックル体２の凹部４に内蔵されているので、塵埃による発音の劣化や不衛生を防げると共に、自らの指先などの引っ掛かるなどの事態も生じ難い。
【００２４】
図７は、ズボンＺの腰部分に巻き付けたベルトＢの連結部に、前記ホイッスル内蔵バックル１を用いた使用状態を示す。尚、上記ズボンＺは、スカートＳに置き換えても良い。
また、図８（Ａ）は、人が着用している上着Ｊの両肩の前後において、図示しないズボンやスカートなどの上裾を吊り下げる左右一対のベルトＢごとの中間に、前記ホイッスル内蔵バックル１を個別に用いた使用状態を示す。
更に、図８（Ｂ）は、リュクサックＲの背中側に取り付けた左右一対のベルトＢごとの中間に、前記ホイッスル内蔵バックル１を個別に用いた使用状態を示す。尚、上記リュクサックＲの背中側における対角線方向に沿って１本のベルトＢを配置し、該ベルトＢの連結部に上記ホイッスル内蔵バックル１を適用しても良い。
【００２５】
前記図７，図８（Ａ）に示したように、普段着（ズボンＺ、スカートＳ、上着Ｊ）に併用するベルトＢの連結部に前記ホイッスル内蔵バックル１を用いることで、通常のバックル機能を果たせると共に、不測の災害や事故・事件などの非常時には、前記ホイッスルｗを活用することで、非常事態あるいは緊急事態を周囲に対して確実且つ迅速にアッピールすることが可能となる。
一方、図８（Ｂ）に示したように、リュクサックＲの背負い用ベルトＢの連結部に前記ホイッスル内蔵バックル１を用いることで、ハイキング、サイクリング、あるいは登山の登攀時や下山時などにおいて、不測の災害や事故・事件などの非常時に、前記ホイッスルｗを活用することで、非常事態あるいは緊急事態を周囲に対して確実且つ迅速にアッピールすることも可能である。
【００２６】
本発明は、以上において説明した形態に限定されるものではない。
例えば、前記雌型バックル体２０の凹部４は、雄型バックル体２０の凸部２１の外形とほぼ相似形を呈する直方体状の形態としても良い。
また、前記雄型バックル体２０の凸部２１の表面に開口する排出口２５は、平面視で円形、楕円形、長円形。あるいは四隅にアールを付けた長方形または正方形を呈する形態としたり、これらを、前記隔壁２２ａを通気室２２の奥側に更に延ばした形態においては、左右一対ずつに個別に分けた形態としても良い。
更に、前記雄型バックル体２０の凸部２１の両側面２３は、吹き込み口２４が開口する先端面に向けて若干狭くなる緩い傾斜面あるいは湾曲面としいても良い。
また、前記凸部２１の裏面（底面）も、その表面と同様に吹き込み口２４が開口する先端面に向かって若干上向きに傾斜させても良い。
加えて、前記ホイッスル内蔵バックル１は、ショルダーバッグのベルトの連結部や、旅行用などのスーツケースを外側から縛るベルトの連結部、あるいは首掛け用ストラップの連結部に適用することも可能である。
【産業上の利用可能性】
【００２７】
本発明によれば、ホイッスルに塵埃などが付着せず、長期間にわたり安定して所要の音色を発信でき、且つ衛生的に保てると共に、バックル全体も小型化し得るホイッスル内蔵バックルを確実に提供できる。
【符号の説明】
【００２８】
１……ホイッスル内蔵バックル
２……雌型バックル体
３……雌型本体
３ａ…雌型本体の側面
４……凹部
６……段部
７……案内溝
９……押さえ枠
２０…雄型バックル体
２１…凸部
２２…通気室
２３…凸部の側面
２４…吹き込み口
２５…排出口
２６…係止片
ｗ……ホイッスル
Ｂ……ベルト
【図１】
0005871895.tif 000002
【図２】
0005871895.tif 000003
【図３】
0005871895.tif 000004
【図４】
0005871895.tif 000005
【図５】
0005871895.tif 000006
【図６】
0005871895.tif 000007
【図７】
0005871895.tif 000008
【図８】
0005871895.tif 000009